(57)【要約】【課題】  静止画撮影を行う前に動画撮影を行うデジタルカメラにおいて、使用者の要望にあった画像を提供することが可能なデジタルカメラを提供する。【解決手段】  デジタルカメラ１００は、操作部１３の操作により撮影制御機能が実行され、使用者により被写体が画面中央付近にくるように操作されると、ＡＦ制御により被写体にピントを自動的に合わせると共に、ＡＥ制御、ＡＷＢ制御を行い、このとき設定した撮影条件を内部メモリ１０に記憶し、動画撮影及び記録を開始する。動画撮影中、デジタルカメラ１００は、撮影中の被写体の変化に応じてリアルタイムに撮影条件を設定して、ＡＦ制御、ＡＥ制御、及びＡＷＢ制御を行う。例えば、画面中央付近の被写体にＡＦにてピントを合わせ続けたり、露出やホワイトバランスの設定を被写体の変化に応じて自動的に変更したりする。そして、使用者によりレリーズボタンが全押しされると、デジタルカメラ１００は、内部メモリ１０に記憶した撮影条件に基づいてＡＦ制御、ＡＥ制御、及びＡＷＢ制御を行い、静止画撮影を行う。【選択図】  図１
2005110107.tif 000002
【特許請求の範囲】
【請求項１】
動画撮影及び静止画撮影を行うことが可能なデジタルカメラであって、
前記動画撮影時及び前記静止画撮影時の撮影条件を設定する撮影条件設定手段と、
前記設定された撮影条件に基づいて前記動画撮影及び静止画撮影を行う撮影手段と、
前記撮影手段に対し、前記動画撮影と前記静止画撮影とをこの順番で連続して行わせる撮影制御を行う撮影制御手段と、
前記撮影制御手段の制御に基づく前記動画撮影の開始時に前記撮影条件設定手段で設定される撮影条件を記憶する記憶手段とを備え、
前記撮影条件設定手段は、前記撮影制御手段の制御に基づく前記動画撮影に際しては当該撮影される被写体の変化に追従して前記撮影条件を設定し、前記撮影制御手段の制御に基づく前記静止画撮影に際しては、前記記憶手段が記憶した撮影条件を当該静止画撮影時の撮影条件として設定するものであるデジタルカメラ。
【請求項２】
動画撮影及び静止画撮影を行うことが可能なデジタルカメラであって、
前記動画撮影時及び静止画撮影時の撮影条件を設定する撮影条件設定手段と、
前記設定された撮影条件に基づいて前記動画撮影及び静止画撮影を行う撮影手段と、
前記撮影手段に対し、前記動画撮影と前記静止画撮影とをこの順番で連続して行わせる撮影制御を行う撮影制御手段とを備え、
前記撮影条件設定手段は、前記撮影制御手段の制御に基づく前記動画撮影に際しては当該撮影される被写体の変化に追従して前記撮影条件を設定し、前記撮影制御手段の制御に基づく前記静止画撮影に際しては当該静止画撮影時点での被写体に応じて前記撮影条件を設定するものであるデジタルカメラ。
【請求項３】
請求項１又は２記載のデジタルカメラであって、
前記撮影手段は、セルフタイマによる前記静止画撮影が可能であり、
前記撮影制御手段は、前記セルフタイマが設定されてから前記静止画撮影が行われるまでの間、前記動画撮影を行わせる制御を行うものであるデジタルカメラ。
【発明の詳細な説明】
【技術分野】
【０００１】
本発明は、動画撮影及び静止画撮影が可能なデジタルカメラに関する。
【背景技術】
【０００２】
従来、セルフタイマ機能を有するデジタルカメラにおいて、セルフタイマが設定されてから静止画撮影を行うまでの間に動画撮影を行うデジタルカメラが存在し、この機能が特許文献１のマニュアルに記載されている。このデジタルカメラによれば、撮影により得られた静止画像について、その撮影を行うまでの様子を動画像で確認することができる。
【０００３】
【特許文献１】富士写真フイルム（株）社製ＦｉｎｅＰｉｘＭ６０３（登録商標）の製品マニュアル
【発明の開示】
【発明が解決しようとする課題】
【０００４】
本発明は、静止画撮影を行う前に動画撮影を行うデジタルカメラにおいて、当該静止画撮影で得られる静止画像と当該動画撮影で得られる動画像とを使用者の要望にあったものにすることが可能なデジタルカメラを提供することを目的とする。
【課題を解決するための手段】
【０００５】
本発明のデジタルカメラは、動画撮影及び静止画撮影を行うことが可能なデジタルカメラであって、前記動画撮影時及び前記静止画撮影時の撮影条件を設定する撮影条件設定手段と、前記設定された撮影条件に基づいて前記動画撮影及び静止画撮影を行う撮影手段と、前記撮影手段に対し、前記動画撮影と前記静止画撮影とをこの順番で連続して行わせる撮影制御を行う撮影制御手段と、前記撮影制御手段の制御に基づく前記動画撮影の開始時に前記撮影条件設定手段で設定される撮影条件を記憶する記憶手段とを備え、前記撮影条件設定手段は、前記撮影制御手段の制御に基づく前記動画撮影に際しては当該撮影される被写体の変化に追従して前記撮影条件を設定し、前記撮影制御手段の制御に基づく前記静止画撮影に際しては、前記記憶手段が記憶した撮影条件を当該静止画撮影時の撮影条件として設定するものである。
【０００６】
この構成により、動画撮影に際しては、その撮影中の被写体の変化に応じた撮影条件で撮影が行われ、動画撮影の後に行われる静止画撮影に際しては、動画撮影開始時に設定された撮影条件で撮影が行われる。このため、動画撮影によって得られる動画像については被写体の変化に追従した自然な画像を得ることができ、静止画撮影によって得られる静止画像については、使用者が望む画像を得ることができる。したがって、静止画撮影を行う前に動画撮影を行うデジタルカメラにおいて、当該静止画撮影で得られる静止画像と当該動画撮影で得られる動画像とを使用者の要望にあったものにすることが可能となる。
【０００７】
本発明のデジタルカメラは、動画撮影及び静止画撮影を行うことが可能なデジタルカメラであって、前記動画撮影時及び静止画撮影時の撮影条件を設定する撮影条件設定手段と、前記設定された撮影条件に基づいて前記動画撮影及び静止画撮影を行う撮影手段と、前記撮影手段に対し、前記動画撮影と前記静止画撮影とをこの順番で連続して行わせる撮影制御を行う撮影制御手段とを備え、前記撮影条件設定手段は、前記撮影制御手段の制御に基づく前記動画撮影に際しては当該撮影される被写体の変化に追従して前記撮影条件を設定し、前記撮影制御手段の制御に基づく前記静止画撮影に際しては当該静止画撮影時点での被写体に応じて前記撮影条件を設定するものである。
【０００８】
この構成により、動画撮影に際しては、その撮影中の被写体の変化に応じた撮影条件で撮影が行われ、動画撮影の後に行われる静止画撮影に際しては、その静止画撮影時の被写体に応じた撮影条件で撮影が行われる。このため、動画撮影によって得られる動画像については被写体の変化に追従した自然な画像を得ることができ、静止画撮影によって得られる静止画像については、撮影される被写体に応じた画像を得ることができる。したがって、静止画撮影を行う前に動画撮影を行うデジタルカメラにおいて、当該静止画撮影で得られる静止画像と当該動画撮影で得られる動画像とを使用者の要望にあったものにすることが可能となる。特に、静止画像については、その撮影時の被写体の位置等によって焦点距離等を最適に設定することができるため、使用者がセルフタイマを用いて自分１人のみを撮影する場合でも、使用者は、自身の要望にあった画像を得ることが可能となる。
【発明の効果】
【０００９】
本発明によれば、静止画撮影を行う前に動画撮影を行うデジタルカメラにおいて、当該静止画撮影で得られる静止画像と当該動画撮影で得られる動画像とを使用者の要望にあったものにすることが可能なデジタルカメラを提供することができる。
【発明を実施するための最良の形態】
【００１０】
（第一実施形態）
図１は、本発明の第一実施形態を説明するためのデジタルカメラの概略構成を示す図である。
デジタルカメラ１００は、撮影部１と、アナログ信号処理部２と、Ａ／Ｄ変換部３と、駆動部４と、デジタル信号処理部６と、圧縮／伸張処理部７と、表示部８と、システム制御部９と、内部メモリ１０と、メディアインタフェース１１と、記録メディア１２と、操作部１３とを備える。デジタル信号処理部６、圧縮／伸張処理部７、表示部８、システム制御部９、内部メモリ１０、及びメディアインタフェース１１は、システムバス２０に接続されている。
【００１１】
撮影部１は、撮影レンズ１ａ、絞り１ｂ、シャッタ１ｃ、及び撮像デバイス１ｄを内蔵している。撮影レンズ１ａは、被写体の光学像を絞り１ｂ及びシャッタ１ｃを通して撮像デバイス１ｄの受光面に結像させる。絞り１ｂは、撮像デバイス１ｄの受光面に到達する光量を調節する。シャッタ１ｃは、操作部１３に含まれるレリーズボタンが押下されると作動し、設定されたシャッタスピードで撮像デバイス１ｄの受光面を露光する。撮像デバイス１ｄは、受光した被写体の光学像を画像信号に変換し、アナログ信号処理部２に出力するものであり、ＣＣＤやＣＭＯＳ等の撮像素子が用いられる。
【００１２】
撮影に際しては、駆動部４を介して撮影レンズ１ａ、絞り１ｂ、シャッタ１ｃ、及び撮像デバイス１ｄの制御が行われる。撮像素子として利用されるＣＣＤイメージセンサ等の固体撮像素子は、レリーズボタンの押下操作を契機として、所定のタイミングで、駆動部４に含まれるタイミングジェネレータ（図１ではＴＧと記載）からの駆動信号によって駆動される。駆動部４は、システム制御部９によって設定された撮影条件に基づいて、撮影レンズ１ａ、絞り１ｂ、シャッタ１ｃ、及び撮像デバイス１ｄを駆動する。
【００１３】
アナログ信号処理部２は、撮影部１で得られた撮像信号に所定のアナログ信号処理を施す。Ａ／Ｄ変換部３は、アナログ信号処理部２で処理後のアナログ信号をデジタル信号に変換する。Ａ／Ｄ変換部３の出力は、いわゆるＲＡＷ画像データとしてデジタル信号処理部６に送られる。
【００１４】
デジタル信号処理部６は、Ａ／Ｄ変換部３からのデジタル画像データに対して、操作部１３によって設定された動作モードに応じた所定のデジタル信号処理を行う。
【００１５】
圧縮／伸張処理部７は、デジタル信号処理部６で得られたＹ／Ｃデータに対して圧縮処理を施すとともに、記録メディア１２から得られた圧縮画像データに対して伸張処理を施す。
【００１６】
表示部８は、例えばＬＣＤ表示装置を含んで構成され、撮影されてデジタル信号処理を経た画像データに基づく画像を表示する。記録メディア１２に記録された圧縮画像データを伸張処理して得た画像データに基づく画像の表示も行う。また、撮影時のスルー画像、デジタルカメラの各種状態、操作に関する情報の表示等も可能である。
【００１７】
システム制御部９は、所定のプログラムによって動作するプロセッサを主体に構成され、撮影動作を含むデジタルカメラ１００全体の制御を行う。
【００１８】
システム制御部９は、撮影部１による動画撮影時及び静止画撮影時の撮影条件（例えば、撮影レンズ１ａのレンズ位置、絞り１ｂの絞り値、シャッタ１ｃのシャッタ速度、及びホワイトバランスゲイン等）を、撮影部１から得られる画像信号を利用して設定する。
【００１９】
システム制御部９は、上記設定した撮影条件に基づいて駆動部４を介して撮影レンズ１ａを移動させて自動でピントを合わせるＡＦ（Auto Focus）制御機能と、上記設定した撮影条件に基づいて駆動部４を介して自動で露出を制御するＡＥ（Auto Exposure）制御機能と、上記設定した撮影条件に基づいて自動でホワイトバランス調整制御を行うＡＷＢ（Auto White Balance）調整制御機能と、撮影部１に対し動画撮影と静止画撮影とをこの順番で連続して行わせる撮影制御を行う撮影制御機能とを有する。
【００２０】
システム制御部９はセルフタイマ機能を有しており、このセルフタイマ機能と撮影制御機能とを合わせて実行することが可能である。この場合、デジタルカメラ１００は、セルフタイマが設定されてから静止撮影が行われるまでの間に動画撮影を行い、セルフタイマに基づく撮影時間になると静止画撮影を行う。
【００２１】
システム制御部９は、撮影制御機能に基づく動画撮影に際しては当該撮影される被写体の変化に追従してリアルタイムに上記撮影条件の設定を行い、撮影制御機能に基づく静止画撮影に際しては、動画撮影開始時に内部メモリ１０に記憶した撮影条件を当該静止画撮影時の撮影条件として設定する。
【００２２】
内部メモリ１０は、例えばＤＲＡＭであり、デジタル信号処理部６やシステム制御部９のワークメモリとして利用される他、記録メディア１２に記録される撮影画像データを一時的に記憶するバッファメモリとして利用される。内部メモリ１０は、システム制御部９の撮影制御機能に基づく動画撮影開始時に設定される撮影条件を記憶する。
【００２３】
メディアインタフェース１１は、メモリカード等の記録メディア１２との間のデータの入出力を行う。
【００２４】
操作部１３は、デジタルカメラ使用時の各種操作を行うものであり、撮影を行うためのレリーズボタンも含まれる。
【００２５】
以下、本発明の第一実施形態を説明するためのデジタルカメラの動作について説明する。
図２は、本発明の第一実施形態を説明するためのデジタルカメラ１００の撮影制御機能及びセルフタイマ機能が実行されたときの動作タイミングを示す図である。
まず、操作部１３の操作により撮影制御機能及びセルフタイマ機能が実行されると（Ｓ２０１）、デジタルカメラ１００の表示部８にはスルー画像が表示される。この状態で使用者により画角が決定され、レリーズボタンが半押しされると（Ｓ２０２）、デジタルカメラ１００は、撮影部１から得られる画像信号に基づいて撮影条件を設定し、設定した撮影条件を内部メモリ１０に記憶する（Ｓ２０３）。
【００２６】
その後、使用者によりレリーズボタンが全押しされてセルフタイマがＯＮされると（Ｓ２０４）、デジタルカメラ１００は、上記設定した撮影条件に基づいてＡＦ制御により被写体にピントを自動的に合わせると共に、ＡＥ制御、ＡＷＢ調整制御を行って動画撮影を開始し、動画撮影によって得られる動画像データを記録メディア１２に記録していく（Ｓ２０５）。
【００２７】
動画撮影中、デジタルカメラ１００は、撮影中の被写体の変化に追従してリアルタイムに撮影条件を設定して、ＡＦ制御、ＡＥ制御、及びＡＷＢ調整制御を行う。例えば、画面中央付近の被写体にピントを合わせ続けたり、露出やホワイトバランスの設定を被写体の変化に応じて自動的に変更したりする。
【００２８】
そして、セルフタイマに基づく撮影時間になると（Ｓ２０６）、デジタルカメラ１００は、Ｓ２０３で内部メモリ１０に記憶した撮影条件に基づいてＡＦ制御、ＡＥ制御、及びＡＷＢ調整制御を行って静止画撮影を行い、静止画撮影によって得られる静止画像データを記録メディア１２に記録し（Ｓ２０７）、動作を終了する。ここで得られた動画像データ及び静止画像データは異なるファイル又は同一のファイルとして記録メディア１２に記録される。
【００２９】
以上のように本実施形態のデジタルカメラによれば、被写体を静止画として撮影するまでの様子を動画像データとして記録メディア１２に記録しておくことができるため、使用者の撮る楽しみを増やす効果が得られる。又、静止画像データと動画像データとを同一のファイルとして記録しておくことで、そのファイルを展開して画像データを再生した場合、静止画が撮影されるまでの様子を動画で確認してから静止画を確認することができ、画像確認の際の楽しみを増やすことできる。
【００３０】
又、動画撮影に際しては、その撮影中の被写体の変化に応じた撮影条件で撮影が行われ、動画撮影の後に行われる静止画撮影に際しては、動画撮影開始時に設定された撮影条件で撮影が行われる。このため、動画撮影によって得られる動画像データに基づく動画像については被写体の変化に追従した自然な画像とすることができ、静止画撮影によって得られる静止画像データに基づく静止画像については、使用者の望む画像とすることができる。
【００３１】
上記では、セルフタイマにより動画撮影と静止画撮影とを行う場合の動作を説明したが、以下では、セルフタイマによる撮影を行わない場合のデジタルカメラ１００の動作について説明する。
図３は、本発明の第一実施形態を説明するためのデジタルカメラの撮影制御機能が実行されたときの動作タイミングフローを示す図である。
操作部１３の操作により撮影制御機能が実行されると（Ｓ３０１）、デジタルカメラ１００の表示部８にはスルー画像が表示される。この状態で使用者により被写体が画面中央付近にくるように操作されると（Ｓ３０２）、デジタルカメラ１００は、撮影部１から得られる画像信号に基づいて撮影条件を設定し、設定した撮影条件を内部メモリ１０に記憶する（Ｓ３０３）。その後、デジタルカメラ１００は、上記設定した撮影条件に基づいてＡＦ制御により被写体にピントを自動的に合わせると共に、ＡＥ制御、ＡＷＢ調整制御を行って動画撮影を開始し、動画撮影によって得られる動画像データを記録メディア１２に記録する（Ｓ３０４）。
【００３２】
動画撮影中、デジタルカメラ１００は、撮影中の被写体の変化に追従してリアルタイムに撮影条件を設定して、ＡＦ制御、ＡＥ制御、及びＡＷＢ調整制御を行う。例えば、画面中央付近の被写体にピントを合わせ続けたり、露出やホワイトバランスの設定を被写体の変化に応じて自動的に変更したりする。
【００３３】
そして、使用者によりレリーズボタンが全押しされると（Ｓ３０５）、デジタルカメラ１００は、Ｓ３０３で内部メモリ１０に記憶した撮影条件に基づいてＡＦ制御、ＡＥ制御、及びＡＷＢ調整制御を行って静止撮影を行い、静止画撮影によって得られる静止画像データを記録メディア１２に記録し（Ｓ３０６）、動作を終了する。ここで得られた動画像データ及び静止画像データは異なるファイル又は同一のファイルとして記録メディア１２に記録される。
【００３４】
このように本実施形態のデジタルカメラ１００によれば、セルフタイマによる撮影以外にも、上記と同様の効果を得ることができる。
【００３５】
（第二実施形態）
本実施形態のデジタルカメラは、図１に示すデジタルカメラのシステム制御部９の機能が一部異なる以外は第一実施形態と同様の構成であるため、その異なる部分についてのみ説明する。
本実施形態のデジタルカメラのシステム制御部９は、撮影制御機能に基づく動画撮影に際しては当該撮影される被写体の変化に追従してリアルタイムに撮影条件の設定を行い、撮影制御機能に基づく静止画撮影に際しては、当該撮影時点での被写体に応じて撮影条件を設定する。
【００３６】
以下、本発明の第二実施形態を説明するためのデジタルカメラの動作について説明する。
図４は、本発明の第二実施形態を説明するためのデジタルカメラのシステム制御部の撮影制御機能及びセルフタイマ機能が実行されたときの動作タイミングフローを示す図である。
まず、操作部１３の操作により撮影制御機能及びセルフタイマ機能が実行されると（Ｓ４０１）、デジタルカメラ１００の表示部８にはスルー画像が表示される。この状態で使用者により画角が決定され、レリーズボタンが全押しされてセルフタイマがＯＮされると（Ｓ４０２）、デジタルカメラ１００は、撮影部１から得られる画像信号に基づいて撮影条件を設定し、設定した撮影条件に基づいてＡＦ制御により被写体にピントを自動的に合わせると共に、ＡＥ制御、ＡＷＢ調整制御を行って動画撮影を開始し、動画撮影によって得られる動画像データを記録メディア１２に記録する（Ｓ４０３）。
【００３７】
動画撮影中、デジタルカメラ１００は、撮影中の被写体の変化に追従してリアルタイムに撮影条件を設定して、ＡＦ制御、ＡＥ制御、及びＡＷＢ調整制御を行う。例えば、画面中央付近の被写体にピントを合わせ続けたり、露出やホワイトバランスの設定を被写体の変化に応じて自動的に変更したりする。
【００３８】
そして、セルフタイマに基づく撮影時間になると（Ｓ４０４）、デジタルカメラ１００は、静止画撮影開始時点（Ｓ４０４の時点）での撮影条件を、静止画撮影時の撮影条件として設定し、設定した撮影条件に基づいてＡＦ制御、ＡＥ制御、及びＡＷＢ制御を行って静止画像撮影を行い、静止画撮影によって得られる静止画像データを記録メディア１２に記録し（Ｓ４０５）、動作を終了する。ここで得られた動画像データ及び静止画像データは異なるファイル又は同一のファイルとして記録メディア１２に記録される。
【００３９】
以上のように本実施形態のデジタルカメラによれば、被写体を静止画として撮影するまでの様子を動画像データとして記録メディア１２に記録しておくことができるため、使用者の撮る楽しみを増やす効果が得られる。又、静止画像データと動画像データとを同一のファイルとして記録しておくことで、そのファイルを展開して画像データを再生した場合、静止画が撮影されるまでの様子を動画で確認してから静止画を確認することができ、画像確認の際の楽しみを増やすことできる。
【００４０】
又、上記動画撮影に際しては、その撮影中の被写体の変化に応じた撮影条件で撮影が行われ、動画撮影の後に行われる静止画撮影に際しては、動画撮影開始時に設定された撮影条件で撮影が行われる。このため、動画撮影によって得られる動画像データに基づく動画像については被写体の変化に追従した自然な画像とすることができ、静止画撮影によって得られる静止画像データに基づく静止画像については、使用者の望む画像とすることができる。特に、静止画像については、その撮影時の被写体の位置等によって焦点距離等を最適に設定してから撮影することができるため、使用者がセルフタイマを用いて自分１人のみを撮影する場合でも、使用者は、自身の要望にあった画像を得ることが可能となる。
【００４１】
上記では、セルフタイマにより動画撮影と静止画撮影とを行う場合の動作を説明したが、以下では、セルフタイマによる撮影を行わない場合のデジタルカメラ１００の動作について説明する。
図５は、本発明の第二実施形態を説明するためのデジタルカメラの撮影制御機能が実行されたときの動作タイミングフローを示す図である。
操作部１３の操作により撮影制御機能が実行されると（Ｓ５０１）、デジタルカメラ１００の表示部８にはスルー画像が表示される。この状態で使用者により被写体が画面中央付近にくるように操作されると（Ｓ５０２）、デジタルカメラ１００は、撮影部１から得られる画像信号に基づいて撮影条件を設定し、設定した撮影条件に基づいてＡＦ制御により被写体にピントを自動的に合わせると共に、ＡＥ制御、ＡＷＢ調整制御を行って動画撮影を開始し、動画撮影によって得られる動画像データを記録メディア１２に記録する（Ｓ５０３）。
【００４２】
動画撮影中、デジタルカメラ１００は、撮影中の被写体の変化に追従してリアルタイムに撮影条件を設定して、ＡＦ制御、ＡＥ制御、及びＡＷＢ調整制御を行う。例えば、画面中央付近の被写体にピントを合わせ続けたり、露出やホワイトバランスの設定を被写体の変化に応じて自動的に変更したりする。
【００４３】
そして、使用者によりレリーズボタンが全押しされると（Ｓ５０４）、デジタルカメラ１００は、レリーズボタンが全押しされた時点の撮影条件を、静止画撮影時の撮影条件として設定し、設定した撮影条件に基づいてＡＦ制御、ＡＥ制御、及びＡＷＢ制御を行って静止画像撮影を行い、静止画撮影によって得られる静止画像データを記録メディア１２に記録し（Ｓ５０５）、動作を終了する。ここで得られる動画像データ及び静止画像データは異なるファイル又は同一のファイルとして記録メディア１２に記録される。
【００４４】
このように本実施形態のデジタルカメラ１００によれば、セルフタイマによる撮影以外にも、上記と同様の効果を得ることができる。
【００４５】
尚、第一実施形態と第二実施形態で説明した機能を両方備え、両方の機能を使用者により選択して実行することができるようにすることも可能である。
【図面の簡単な説明】
【００４６】
【図１】本発明の第一実施形態を説明するためのデジタルカメラの概略構成を示す図
【図２】本発明の第一実施形態を説明するためのデジタルカメラのシステム制御部の撮影制御機能及びセルフタイマ機能が実行されたときの動作フローを示す図
【図３】本発明の第一実施形態を説明するためのデジタルカメラのシステム制御部の撮影制御機能が実行されたときの動作フローを示す図
【図４】本発明の第二実施形態を説明するためのデジタルカメラのシステム制御部の撮影制御機能及びセルフタイマ機能が実行されたときの動作フローを示す図
【図５】本発明の第二実施形態を説明するためのデジタルカメラのシステム制御部の撮影制御機能が実行されたときの動作フローを示す図
【符号の説明】
【００４７】
１００  デジタルカメラ
１  撮影部
２  アナログ信号処理部
３  Ａ／Ｄ変換部
４  駆動部
６  デジタル信号処理部
７  圧縮／伸張処理部
８  表示部
９  システム制御部
１０  内部メモリ
１１  メディアインタフェース
１２  記録メディア
１３  操作部
【図１】
2005110107.tif 000003
【図２】
2005110107.tif 000004
【図３】
2005110107.tif 000005
【図４】
2005110107.tif 000006
【図５】
2005110107.tif 000007